(57)【特許請求の範囲】
【請求項１】
スポット照明のための照明システムであり、前記照明システムは：
反射性内部表面を持つ管状反射装置であり、前記管状反射装置が入口開口部及び前記入口開口部よりも大きい出口開口部を含む、管状反射装置；及び
前記入口開口部で前記管状反射装置へ発光するために、物理的光源配置に配置される複数の光源を含む光源アレイを含み、
前記管状反射装置が３を超える非偶数の反射表面を含み、それぞれが前記光源の１次ミラーイメージを与えるように構成され、前記１次ミラーイメージが１次ミラーイメージ光源配置を持ち、
前記光源アレイが、前記１次ミラーイメージにつき、前記１次ミラーイメージの前記反射表面での反射により生じる前記光源の全ての２次ミラーイメージの少なくとも半分が、前記物理的光源配置とは異なる２次ミラーイメージ光源配置を表す、照明システム。
【請求項２】
請求項１に記載の照明システムであり、前記異なる２次ミラーイメージ光源配置が、前記物理的光源配置と少なくとも回転状態に関して異なる、照明システム。
【請求項３】
請求項１又は２のいずれか１項に記載の照明システムであり、前記管状反射装置は、前記反射表面が、他のいずれの前記反射表面に対しても平行ではないように構成される、照明システム。
【請求項４】
請求項１乃至３のいずれか１項に記載の照明システムであり、前記管状反射装置が本質的に多角形状断面を持つ、照明システム。
【請求項５】
請求項１乃至４のいずれか１項に記載の照明システムであり、前記反射表面の少なくとも１つが曲げられている、照明システム。
【請求項６】
請求項１乃至５のいずれか１項に記載の照明システムであり、前記少なくとも１つの反射表面と前記照明システムの光軸に垂直な平面間の部分が曲げられている、照明システム。
【請求項７】
請求項１乃至６のいずれか１項に記載の照明システムであり、前記管状反射装置が実質的にトランペット形状である、照明システム。
【請求項８】
請求項１乃至７のいずれか１項に記載の照明システムであり、前記物理的光源配置が、前記光源アレイのそれぞれの回転対称状態が前記管状反射装置の全ての回転対称状態と異なるように選択される、照明システム。
【請求項９】
請求項８に記載の照明システムであり、前記管状反射装置が同じ配置を持つ回転対称状態の第１の数を表し、前記光源アレイが同じ配置の回転対称状態の第２の数を表し、前記第１及び第２の数の比が、非整数である、照明システム。
【請求項１０】
請求項１乃至９のいずれか１項に記載の照明システムであり、前記光源アレイに含まれる前記光源により占められる全領域が、前記入口開口部の領域の少なくとも５％である、照明システム。
【請求項１１】
請求項１乃至１０のいずれか１項に記載の照明システムであり、前記光源アレイが、第１の色を発光するように構成される少なくとも１セットの光源と、前記第１の色とは異なる第２の色を発光するように構成される少なくとも１セットの光源とを含む、照明システム。
【請求項１２】
請求項１１に記載の照明システムであり、前記光源アレイが、前記第１の色を発光するように構成される少なくとも３セットの光源と、前記第２の色を発光するように構成される少なくとも３セットの光源とを含み、及び前記セットの光源の隣接するセット間の最大距離が、前記入口開口部の横方向の伸長の３分の１よりも小さい、照明システム。
【請求項１３】
請求項１乃至１２のいずれか１項に記載の照明システムであり、さらに、前記照明システムによる光出力を拡散させるように構成される光学拡散部材を含む、照明システム。
【請求項１４】
請求項１乃至１３のいずれか１項に記載の照明システムであり、さらに、前記照明システムによる光出力を焦点化するように構成される焦点化光学エレメントを含む、照明システム。
【発明の詳細な説明】
【技術分野】
【０００１】
本発明は、スポット照明に関し、管状反射装置及び光源アレイを含む。
【背景技術】
【０００２】
シーンセッティングや他の雰囲気形成照明などのスポット照明において、カラーフィルタを持つ白色光源が広く使用されている。その後代替物として、発光ダイオード、ＬＥＤなどの着色光源が開発されている。着色光源を持つシステムでは、前記色は電子的制御で変更され得る。また全ての可能な色が常に利用可能である。
【０００３】
スポット照明応用においては、スポット照明システムが色制御可能であるかどうかを問わず発光の均一性が非常に重要である。
【０００４】
スポット照明の一例がＵＳ６２００００２に開示され、ここで管状のコリメータが前記コリメータ入り口の配置される光源アレイからの光を視準するものである。ＵＳ６２００００２は従来の照明システムに比べて改良された均一性を与えるものではあるが、さらに改良された発光が望まれる。
【発明の概要】
【発明が解決しようとする課題】
【０００５】
上記に鑑みて、本発明の一般的課題はスポット照明のための改良された照明システムを提供することであり、特に前記照明システムによる発光の均一性が改良されたものを提供することである。
【課題を解決するための手段】
【０００６】
本発明によれば、スポット照明のための照明システムが提供され、前記照明システムは、反射性内部表面を持つ管状反射装置を持ち、前記管状反射装置が入口開口部及び前記入口開口部よりも大きい出口開口部を持ち；さらに前記入口開口部で前記管状反射装置へ発光するように物理的光源配置で設けられる複数の光源アレイを持ち、前記管状反射装置が複数の反射表面を含み、それぞれが前記光源アレイの１次的ミラーイメージを与え、前記１次的ミラーイメージが１次的ミラーイメージ光源配置を持ち；及び前記光源アレイが、前記それぞれの１次ミラーイメージについて、前記反射表面による前記１次ミラーイメージの反射から生じる前記光源アレイの全ての２次ミラーイメージの少なくとも半分が、前記物理的光源配置とは異なる２次ミラーイメージ光源配置を示す、照明システムである。
【０００７】
本発明は以下の知見に基づくものである。即ち、照明システムによる発光の均一性における従来技術の１つの改良は、前記光源アレイを次のように設けることで達成され得るというものである。これは、前記管状反射装置で、前記反射表面での多重反射から生じる重なり合う幾つかのミラーイメージが下方に維持されるように設けることである。特に、本発明の発明者は次の知見を得た。即ち、前記発光の均一性の大きな改良は、前記光源アレイを次のように設けることで達成され得るという知見である。これは、前記光源アレイの前記２次ミラーイメージの少なくとも半分が、前記物理的光源配置とは異なる光源配置を表すように、である。
【０００８】
これにより前記発光の優先的な方向への発光が抑制され、均一性、即ち強度に関して空間的な均一性が改良され、及び適用可能な場合には前記照明システムにより出力される色に関して空間的な均一性が改良され得る。
【０００９】
用語「異なる」とはここでは、前記光源アレイの２次ミラーイメージが前記物理的光源アレイの正確な複製ではないという意味であることを理解されるべきである。言い換えると、前記２次ミラーイメージ光源配置は、前記物理的な光源配置との完全な重なりが前記２次ミラーイメージ光源配置の移動のみでは達成されない場合に、前記物理的光源配置とは異なる、ということである。従って、前記２次ミラーイメージ光源配置は、前記物理的光源配置とは回転状態が異なるか及び／又は寸法が異なる、こととなる。後者の場合、前記２次ミラーイメージ光源配置は物理的光源配置と同じ回転状態であり得るけれども、前記光源間の距離が異なり、従って、前記光源アレイの前記２次ミラーイメージ及び前記光源アレイとの間で正確な一致のためには、移動操作と寸法操作が要求されることとなる。
【００１０】
発光の均一性のさらなる改良は、光源アレイを次のように設けることで達成され得る。即ち、前記物理的光源配置と異なる２次ミラーイメージ光源配置を表す前記２次ミラーイメージの部分の割合をさらに増加させること、例えば７５％であり、最良の結果は１００％の場合に得られる。
【００１１】
望ましい結果が得られる前記光源の配置は、前記管状反射装置の配置に依存するが、当業者にとっては次の点につき決定することは容易であろう。即ち、光源配置及び管状反射装置配置の所与の組み合わせが、上記説明した要求である、前記光源アレイの前記２次ミラーイメージの少なくとも半分が、前記物理的光源配置とは異なる光源配置を表すという要求を満たすかどうかについての決定である。
【００１２】
有利なことは、前記異なる２次ミラーイメージ光源配置は、少なくともその回転状態に関して前記物理的光源配置と異なり得るものである。前記２次ミラーイメージの寸法（光源間の距離よりもより大きい又は小さい）は、発光の均一性に有利な効果を持つことができるけれども、より有利な効果は一般的には、前記２次ミラーイメージ光源配置が前記物理的光源配置に対して回転されている場合に達成され得る。というのはかかる回転は、前記照明システムにより、より多くの数の光線方向を生じる結果となるからである。
【００１３】
前記反射表面は有利には、お互いがある角度で設けられるセグメントで形成され得る。前記照明システムの前記光軸に垂直な平面での前記管状反射装置の断面において、前記セグメントは実質的に直線で表される。
【００１４】
さらに、前記管状反射装置は、反射表面のいずれもが、前記反射表面の全ての他の１つに対しても平行ではないように構成され得る。これにより前記照明システムにより発光される光線の方向の数が増加され得る。
【００１５】
さらに、前記管状反射装置は、平らでない反射表面を含むことができ、これにより前記照明システムにより発光される光線の方向の数が増加され得る。
【００１６】
さらに、前記管状反射装置は本質的に多角形状断面を持つことができる。
【００１７】
「多角形断面」とは本発明において、前記多角形の角面を形成する少なくとも３点で接続された閉鎖パスにより境界付けされる断面であることを意味するものと理解されるべきである。例えば、前記多角形の角の間のそれぞれのパスは前記多角形に関して凹形状又は凸形状であってよい。１つの実質的において、前記多角形断面は非偶数の側部を持ち得る。例えば７角形状（７側部）又９角形状（９側部）などである。
【００１８】
前記管状反射装置の形状にかかわらず、少なくとも１つの前記反射方面は有利には曲げられている。特に少なくとも１つの表面及び前記照明システムの光学軸に垂直の平面との間の部分が曲線である。
【００１９】
後者の配置を通じて、前記ミラーイメージの寸法が達成され、それにより発光の均一性は上記のように改良される（前記反射表面が凹面又は凸面かに依存して前記光源間の距離がより大きいかより小さい）。
【００２０】
さらに、前記管状反射装置は実質的にトランペット形状であり得る。これは前記管状反射装置の開口領域が前記出口開口部に向かってフレア状に張り出し、前記管状反射装置の前記内部反射表面の曲率半径が前記管状反射装置の外部に設けられる。
【００２１】
前記物理的光源配置はさらに、前記光源アレイのそれぞれの回転対称状態が、前記管状反射装置の全ての回転対称状態とは異なるように、選択され得る。
【００２２】
本発明で「回転対称状態」とは、初期状態とは異なり、前記初期状態と同様の配置となる回転状態であると、理解されるべきである。
【００２３】
前記管状反射装置は、同じ配置を持つ第１の回転状態数を表し、かつ前記光源アレイが同じ配置を持つ第２の回転状態数を表し、前記第１及び第２の数が非整数であり得る。かかる配置は非一致対称状態を与える。
【００２４】
同じ配置を持つ回転状態数は、前記初期状態プラス前記回転対称状態数に等しく、即ち回転対称状態数プラス１である。
【００２５】
さらに、前記照明システムを、前記第１の数及び第２の数の共役数が１に等しくなるように、また前記発光が有利な方向へ向くことをより低減され得るように構成することで、前記発光の均一性がさらに改良され得る。
【００２６】
前記照明システムによる発光の均一性をさらに改良するために、前記照明システムは、前記光源アレイに含まれる前記光源の全領域が、前記管状反射装置の前記入口開口部の領域の少なくとも５％に等しくできるように構成され得る。
【００２７】
前記光源の全領域とは、前記光源の全発光表面であって、発光できる領域を意味するものと理解されるべきである。
【００２８】
前記全発光領域と、前記入口開口部の領域との十分な比を与えることで、前記照明システムによる発光の均一性がさらに改良され得る。本発明の発明者による実験では、かかる十分な比は前記管状反射装置の入口開口部の領域の約５％であり、より高い比はよりよい結果を与えることを示した。しかし該比は好ましくは、１０％以上であり、より好ましくは少なくとも１５％であり、最も好ましくは２０％以上である。
【００２９】
本発明の種々の実施態様により、前記光源アレイはさらに、第１の色を発光し、及び前記第１の色とは異なる第２の色を発光するように構成される１セットの光源を含む。
【００３０】
１セットの光源は、単一光源であってよく、又は共に配置される光源群であってよい。例えば、１セットの光源は、一列の発光ダイオード（ＬＥＤ）の形で与えられてよい。ここで前記照明システムからの色制御可能な光出力が備えられてよい。
【００３１】
本発明の発明者は、次の知見を得た。即ち、前記第１の色を発光するように構成される少なくとも３セットの光源と、前記第２の色を発光するように構成される少なくとも３セットの光源を含むように前記光源を構成することが、前記照明システムによる光出力の均一性に対して有利である、ということである。
【００３２】
さらに、前記光源は、隣接する光源のセット間の前記最大距離が、前記入口開口部の横方向拡張の３分の１よりも小さいように構成されることが有利である。これにより前記光源アレイの大きな「暗い」領域が避けられ、前記照明システムによる光出力の均一性がさらに改良され得る。前記光源において前記光源をさらに均一に配置することは、前記均一性のさらなる改良となる。
【００３３】
種々の実施態様により、本発明の前記照明システムは有利にはさらに、前記照明システムによる発光を拡散させるように構成される光拡散光学部材を含むものである。これにより前記照明システムによる光出力の均一性のさらなる改良がなされる。
【００３４】
本発明の種々の実施態様による照明システムにおいて、前記出口開口部で前記管状反射装置を出る光は、一般的には前記照明システムの光軸から離れるよりは、前記照明システムの光軸に近い部分でより良好に混ざり合う。従って、光拡散光学部材は、前記照明システムの光軸からの距離に依存して有利に拡散可能なものである。特に拡散可能性は、前記照明システムの光軸からの距離が増加するに従い有利となる。
【００３５】
さらに、前記照明システムは、さらに有利には、前記照明システムによる発光を焦点化させ、それにより前記照明システムによる光出力の角度広がりを低減させ得る。
【００３６】
さらに、前記管状反射装置は、実質的にガウスビームプロフィルが、前記出口開口部又は離れた場所で達成されるように形状化され得る。
【００３７】
前記管状反射装置の長さは有利には、前記入口開口部の直径の３倍から８倍であり、前記出口開口部の直径と前記入口開口部の直径との比は有利には３から５の範囲である。
【００３８】
本発明のこれらの側面及び他の側面は、さらに添付の図面と共に、本発明の実施態様に基づいて詳細に説明される。
【図面の簡単な説明】
【００３９】
【図１】図１は、本発明の１つの実施態様による照明システムの展開図である。
【図２】図２は、本発明で使用される用語を明確にする目的で、単純な照明システム構成の模式的断面図を示す。
【図３ａ】図３ａは、本発明の実施態様の照明システムの例を示す。
【図３ｂ】図３ｂは、本発明の実施態様の照明システムの例を示す。
【図３ｃ】図３ｃは、比較のための照明システムの例を示す。
【図４ａ】図４ａは、本発明の実施態様の照明システムの例を示す。
【図４ｂ】図４ｂは、本発明の実施態様の照明システムの例を示す。
【図４ｃ】図４ｃは、比較のための照明システムの例を示す。
【図５】図５は、本発明の他の実施態様による照明システムの例の模式的断面図を示す。
【発明を実施するための形態】
【００４０】
以下本発明を、本発明の１つの照明システムであり、トランペット形状の管状反射装置を持ち、その断面が多角形状のものを参照して説明する。
【００４１】
理解されるべきは、これが本発明の範囲を限定するものではないということであり、他の照明システム（管状反射装置がトランペット形状ではなく、及び／又は多角形断面も有さない）についても同様に適用可能なものである、ということである。例えば、管状反射装置は直管状でもパラボラ形状の反射装置でもよく、多角形状には構成されていない複数の反射表面を有するものであってもよい。
【００４２】
図１は、本発明の１つの例示的実施態様による照明システム１を模式的に示す。照明システムは光源アレイ２及び反射性内部表面を持つ管状反射装置３を含む。光源アレイ２は複数の光源で、例えばＬＥＤアレイ４ａ〜ｄを含み、プリント回路基板（ＰＣＢ）５などのキャリア上に設けられ、これはヒートスプレッダ６上に配置され、これはヒートシンク７上に配置される。それぞれのＬＥＤアレイアレイ４ａ〜ｄは、１つ又は数個のＬＥＤを含み、異なる色を持つことが可能である。従って、ＬＥＤアレイ４ａ〜ｄは、具体的な応用に依存して、異なる性質又は実質的に同じ性質を持つことができる。前記管状反射装置３は光入口開口部９を持ち、光出口開口部１０は前記入口開口部９よりも大きい。前記管状反射装置３の前記出口開口部０で、拡散部材が、ここでは光学拡散シート１１の形で与えられる。
【００４３】
光源アレイ２は前記入口開口部９に設けられ、管状反射装置３へ発光する。図１で模式的に示される例示的実施態様において、管状反射装置３は照明システム１の光軸１２に垂直平面で多角形断面を持つ。さらに、図１での管状反射装置３は７つの反射表面１４ａ〜ｇを持ち、これらは光源４ａ〜ｄによる発光を反射するように構成される。
【００４４】
ここでは明確には示されていないが、反射表面１４ａ〜ｈによる光源アレイ２の１次ミラーイメージの反射から生じる光源アレイ２の全ての２次ミラーイメージは、物理的光源配置とは異なる２次ミラーイメージ光源配置を表す。この理由は、２次ミラーイメージ光源配置は、（３６０／７）°の倍数の回転角度により光源アレイ２の回転を表すものとなる、からである。これは、全ての２次ミラーイメージ光源配置が物理的光源配置と異なることを意味する。というのは光源アレイ２の回転対称状態が（３６０／３）°の倍数の回転角度で回転されているからである。従って管状反射装置３及び光源アレイ２は回転対称状態が一致することはない。
【００４５】
本発明で使用される用語のいくつかは、図２で示される照明システム配置の断面を参照して説明される。
【００４６】
図２は、例示的照明システム２０の単純化された断面を示し、出口開口部から管状反射装置２１の入口開口部へ見たものである管状反射装置２１は４つの側面２２ａ〜ｄを持ち内部反射表面２３ａ〜ｄを持つ。照明システム２０はさらに、簡単な光源アレイ２５を含み、これは、図２では２つの異なる光源２６ａ、ｂを持ち、図２では「ｘ」及び「ｏ」として表される物理的光源配置を持つ。
【００４７】
さらに図２で模式的に示されるように、光源アレイ２５は第１の反射表面２３ａで反射され、これは図２で四角で表される１次ミラーイメージ２８を与える。この１次ミラーイメージ２８は図２では左側の四角内で「ｘ」及び「ｏ」で説明される１次ミラーイメージ光源配置を持つ。図２で分かるように、この１次ミラーイメージ光源配置は物理的光源配置とは異なる。即ち、図２の左の四角が光源アレイ２５と重なるように移動させると、１次ミラーイメージ光源配置の「ｘ」は物理的光源配置の「ｏ」と重なり、１次ミラーイメージ光源配置の「ｏ」は物理的光源配置の「ｘ」と重なる。
【００４８】
１次ミラーイメージ２８が第３の反射表面２３ｃで反射されると、２次ミラーイメージ２９が与えられる。この２次ミラーイメージ２９は２次ミラーイメージ光源配置を持ち、図２の右に「ｘ」及び「ｏ」と表される。図２から明らかなように、この２次ミラーイメージ光源配置は、光源アレイ２５の物理的光源配置と同じである。
【００４９】
図２には、１つだけの代表的な１次ミラーイメージ２８及び１つだけの代表的な２次ミラーイメージ２９が示されているが、図２での照明システム２０の全ての２次ミラーイメージは、光源アレイ２５の物理的光源配置と同一の２次ミラーイメージ光源配置を持つことはすぐに明確となるであろう。従って、図２で示される照明システムは本発明の実施態様ではなく、単純化された説明用の例であり、これにより、以下図３ａ〜ｃ、図４ａ〜ｃ及び図５ａ〜ｃで模式的に示される種々の照明システムの例を説明するために用いられる、物理的光源配置、１次ミラーイメージ、１次ミラーイメージ光源配置、２次ミラーイメージ、２次ミラーイメージ光源配置などの概念を説明するために用いられるものである。
【００５０】
図３ａ〜ｃは、例示的照明システムの模式的断面を示す。ここで図３ａ〜ｃの照明システムは本発明の実施態様を示し、図３ｃの照明システムは比較のための例示的システムである。
【００５１】
本発明の第１の実施態様による照明システム３０が図３ａに記載される。図３ａから、照明システム３０は三角形状断面と内部反射表面３２ａ〜ｃを持つ管状反射装置３１を含む。図３ａの照明システムはさらに光源アレイ３３を含み、これは物理的光源配置で設けられる複数の光源３４ａ、ｂを含む。図２と同様に、物理的光源配置は、異なる光源３４ａ、ｂを表す「ｘ」及び「ｏ」で模式的に示される。
【００５２】
図３ａで分かるように、「ｘ」及び「ｏ」で表される１次ミラーイメージ光源配置を持つ３つの１次ミラーイメージ３５ａ〜ｃが存在し、「ｘ」及び「ｏ」で表される２次ミラーイメージ光源配置を持つ６つの１次ミラーイメージ３６ａ〜ｆが存在する。図３ａから分かるように、全ての２次ミラーイメージ光源配置は、光源アレイ３３の物理的光源配置とは異なる。この配置は、光が発光される方向の数が増加する結果を与え、このことは前記照明システム３０による発光の均一性を改良するものである。
【００５３】
次に本発明の第２の実施態様による照明システム４０が図３ｂに記載されている。図３ｂの照明システム４０は、図３の照明システムとは、光源アレイ４１が図３ｂに示されるような異なる物理的光源配置を持つ、という点で異なるものである。
【００５４】
図３ｂから分かるように、全ての２次ミラーイメージ光源配置は光源アレイ４１の物理的光源配置と異なる。この配置は、光が発光される方向の数が増加する結果を与え、このことは前記照明システム４０による発光の均一性を改良するものである。
【００５５】
つぎのに、比較のための例示照明システム５０を、図３ｃを参照して簡単に説明する。図３ｃの照明システム５０は図３ａ，ｂの照明システム３０，４０とは、図３ｃで示されるように対称的に配置される３つの同じ光源５２ａ〜ｃを持つ物理的光源配置を持つ、という点で異なる。図３からすぐに分かるように、全ての２次ミラーイメージ光源配置は、光源配置５１の物理的光源配置と同一である。従って図３ｃでの照明システム５０による発光は、図３ａ、ｂでの照明システム３０，４０による発光に比べて、均一性の程度が低いものとなる。
【００５６】
図４ａ〜ｃは例示的照明システムの断面図であり、ここで照明システム４ａ、ｂは本発明の実施態様を示し、図４ｃの照明システムは比較のためのものである。
【００５７】
図４ａの照明システム６０は、管状反射装置６１を持ち、その断面は５角形状で５つの反射表面６２ａ〜ｅを持つ。図４ａの照明システム６０はさらに、図３ａ〜ｃと同じように図４ａに模式的に示されるように物理的光源配置に設けられる２つの光源６４ａ、ｂを含む光源アレイ６３を含む。
【００５８】
図４ａから分かるように、全ての２次ミラーイメージ光源配置は、光源配置６３の物理的光源配置とは異なる。この配置は、光が発光される方向の数が増加する結果を与え、このことは前記照明システム６０による発光の均一性を改良するものである。
【００５９】
図４ｂは本発明の実施態様による他の例示的照明システム７０を模式的に示す。これは図４ａの照明システムとは、光源アレイ７１が３つの光源７２ａ〜ｃを含み、これらが異なる物理的光源配置で配置されている、という点で異なる。
【００６０】
図４ｂから分かるように、全ての２次ミラーイメージ光源配置は、光源アレイ７１の物理的光源配置とは異なる。この配置は、光が発光される方向の数が増加する結果を与え、このことは前記照明システム７０による発光の均一性を改良するものである。
【００６１】
図４ｃでは、照明システム８０が模式的に示され、図４ａ，ｂの照明システム６０，７０とは、光源アレイ８１が図４ｃに示されるように対称的に配置される５つの同一の光源８２ａ〜ｅを持つ物理的光源配置を持つ、という点で異なる。図４ｃからすぐに分かるように、全ての２次ミラーイメージ光源配置は、光源アレイ８１の物理的光源配置と同一である。従って図４ｃの照明システム８０による発光は、図４ａ、ｂの照明システム６０、７０による発光に比較してその均一性が減少するものである。
【００６２】
ここまで説明した例示的照明システムにおいては、全ての２次ミラーイメージ光源配置は、物理的光源配置と異なるか同一かであった。しかし留意すべきは、本発明は光源アレイが全ての２次ミラーイメージ光源配置が物理的光源配置と異なるか同一かであるものに限定されない、ということである。以下図５を参照して本発明のさらなる実施態様による照明システムが説明される。ここでは２次ミラーイメージの一部分が、前記物理的光源配置とは異なる２次ミラーイメージ光源配置を示すものである。
【００６３】
図５の照明システム９０は、管状反射装置９１を持ちこれは六角型状断面を持ち、６つの反射表面９２ａ〜ｆを持つ。図５の照明システム９０はさらに、光源アレイ９３を持ち、これは２つの同一の光源９４ａ、ｂを持ち、これらは図３ａ〜ｃと同じく図５で模式的に示される物理的光源配置に配置される。
【００６４】
図５から明らかなように、全ての２次ミラーイメージ光源配置の３分の２が、光源アレイ９３の物理的光源配置と異なる。この配置は、光が発光される方向の数が増加する結果を与え、このことは前記照明システム９０による発光の均一性を改良するものである。
【００６５】
図では「ｘ」及び「ｏ」で示される種々の光源は有利にはＬＥＤ又はＬＥＤアレイである。さらに、異なる着色ＬＥＤが種々の色で発色でき、例えば赤、緑、青、アンバー、シアン、深紅及び／又は深青色などである。または、種々の白色光源が使用され得る。例えば暖白色、中間白色及び／又は冷白色光源などである。
【００６６】
さらに、開示された実施態様の変法・変形は、本図面、本開示内容及び特許請求の範囲から請求される発明を理解し実施する当業者にとって理解されるものである。例えば種々の他の公園配置が可能である。特許請求の範囲において。用語「含む」、「持つ」とは他のエレメントやステップを除外するものではない。また「ひとつの」は複数を除外するものではない。単一のプロセッサ又は他のユニットは、請求項に記載されるいくつかの事項の機能を満たすことができる。ある手段が相互に従属する請求項に記載されているというだけの事実は、これらの手段の食い合せが有効でないことを意味するものではない。
【図１】
0005667177.tif 000002
【図２】
0005667177.tif 000003
【図３ａ】
0005667177.tif 000004
【図３ｂ】
0005667177.tif 000005
【図３ｃ】
0005667177.tif 000006
【図４ａ】
0005667177.tif 000007
【図４ｂ】
0005667177.tif 000008
【図４ｃ】
0005667177.tif 000009
【図５】
0005667177.tif 000010